(57)【特許請求の範囲】
【請求項１】
モジュールの不良状態がその影響の度合に応じてモジュールに見えるように設けられた少なくとも１つの光学的表示素子（ＲＬ，ＧＬ）によって表示され、
モジュールの作動停止後、１つ又は複数の光学的表示素子が作動停止の状態を表示し、
新しいモジュールを欠陥モジュールの代わりにモジュール架枠のそのモジュール用に決められた差込み場所に挿入した後、必要な場合には新しいモジュールの試験機能の実施状態及び引き続いた作動開始の状態を表示し、
モジュールに付設された修理キー（ＲＴ）を押すことにより、欠陥モジュールの作動停止に必要な処置及び制御過程が行われる修理状態が開始され、モジュール架枠内に新たに挿入されたモジュールの自動認識が行われ、新しいモジュールの試験機能が開始され、試験結果が良好ならば新しいモジュールが自動的に作動を開始させられる
特にデジタル交換局設備のモジュール架枠（ＢＲ）内にある欠陥モジュール（ＢＧ）の交換方法
【請求項２】
修理状態の期間中、モジュール架枠からの欠陥モジュールの引き抜きに基づいて通常生ぜしめられる警報及び故障メッセージが差し止められ、その場合修理状態が決められた期間に制限されていることを特徴とする請求項１記載の方法。
【請求項３】
デジタル交換局設備において、欠陥モジュールの作動停止に必要な処置及び制御過程が取られて、修理状態の期間中には新しい接続が構成されず、現存の接続がその全寿命中維持されるか又は決められた期間に制限されることを特徴とする請求項１又は２記載の方法。
【請求項４】
少なくとも１つの光学的表示素子（ＲＬ，ＧＬ）がモジュール（ＢＧ）に見えるように設けられ、１つの修理キー（ＲＴ）がモジュール毎に設けられか又は１つの修理キー（ＲＴ）がそれぞれ複数のモジュールに所属していることを特徴とする請求項１乃至３の１つに記載の方法を実施するための装置。
【請求項５】
修理キー（ＲＴ）がモジュール（ＢＧ）に設けられていることを特徴とする請求項４記載の装置。
【請求項６】
修理キー（ＲＴ）が１つ又は複数のモジュール（ＢＧ）を含むモジュール架枠（ＢＲ）に設けられていることを特徴とする請求項４記載の装置。
【発明の詳細な説明】
【０００１】
本発明は、請求項１に記載された特にデジタル交換局設備のモジュール架枠内にある欠陥モジュールの交換方法及び装置に関する。
【０００２】
デジタル交換局設備内のラックのモジュール架枠内にある例えば“ＬＴＧ”の様式の欠陥モジュールの交換方法は、シーメンス株式会社の名称“保守点検技術  ＭＭＮ：ＬＴＧＭ”の顧客用保守マニュアル（１９９６年出版、Ｄ−８１３５９、ミュンヘン市のホフマン通り５１の公共通信網の範囲、物件番号Ａ３０８０８−Ｘ３０７８−Ａ４６５−１−２０）に記載されている。
【０００３】
それに従って、モジュール内の故障又はモジュールの完全脱落が発生する場合、以下のステップが取られる。
【０００４】
上述の交換局設備の保守、監視及び制御を行うための操作用端末装置で、欠陥モジュールの位置を突き止めるための指令、必要に応じてモジュールに構成されている接続を切断するための指令、及び作動停止させるための指令が手動操作にて保守要員によって入力される。欠陥モジュールが挿入されている差込み場所の、操作用端末装置に表示されたアドレスにより、保守要員が対応する差込み場所を探し出し、欠陥モジュールを交換する。その後、場合によっては別の操作用端末装置での再度の手動操作による入力によって、差込み場所に新たに挿入されたモジュールが試験され、作動を開始させられる。
【０００５】
このような欠陥モジュールの交換方法は多くの観点で欠点がある。というのは、この方法は後で説明するように時間がかかりかつ非常に間違い易いからである。
【０００６】
一方では、保守要員が操作用端末装置に欠陥として表示されたモジュールを多数のモジュール（通常は２５個ほどのモジュールが１つのモジュール架枠内に密に接近して並んで収納されており、その場合１つのラック内に通常４つのモジュール架枠がある）から引き抜き、これを交換しなければならない。
【０００７】
平均的な構造の１つのデジタル交換局設備は約１００００個のモジュールを含み、各モジュールが１０〜２０年のＭＴＢＦ（２つの脱落／故障間の平均時間）をそれぞれ有することを考慮すると、交換局設備毎に年間に多分５００回以上の修理が上述した非常に労力のかかるやり方で実施されなければならない。
【０００８】
他方では、モジュール架枠内に通常並んで配置されている冗長モジュールの場合、さらに、故障していないモジュールが欠陥モジュールの代わりに保守要員によって間違って交換されてしまうという危険がある。この行為は直ちに非常に重大な脱落を惹き起す。しかも経験上、重大な脱落の３〜５％は主として保守要員のこの種の間違った行為に起因している。
【０００９】
本発明の課題は、欠陥モジュールのできるだけ簡単かつ確実な交換方法を開発することにある。
【００１０】
この課題は方法に関する請求項１に記載された構成要件及び本発明による方法を実施するための装置に関する請求項４乃至６に記載された構成要件によって解決される。本発明の実施態様は従属請求項に記載されている。
【００１１】
請求項１の構成要件において、本発明によれば、例えば発光ダイオードの形態の少なくとも１つの光学的表示素子がモジュール架枠内にあるモジュールに、このモジュールの種々の状態を表示するために、見えるように設けられる。予め欠陥として表示されたモジュールの作動停止後、１つ又は複数の光学的表示素子（発光ダイオード）が作動停止の状態を表示する。その後、新しいモジュールが欠陥モジュールに代えてモジュール架枠のそのモジュール用として決められている差込み場所に挿入される。必要な場合には新しいモジュールの試験機能が行われ、試験結果が良好ならば新しいモジュールの作動開始が行われる。試験機能及び作動開始に相応する状態は同様に光学的表示素子（発光ダイオード）によって表示される。
【００１２】
本発明において交換に伴って生ずるモジュールの種々の状態を表示することは種々の利点を奏する。
【００１３】
１つの利点は、欠陥モジュールを交換する保守要員がメンテナンスセンタ内にいる別の保守要員の指示に頼らなくてもよい点である。
【００１４】
さらに、欠陥モジュールが特に冗長モジュールに構成されている場合には保守要員によって迅速かつ確実に位置を突き止められ、同定されるという特別な利点が奏される。それゆえ、欠陥モジュールの時間をかけた探索が必要なくなり、取り違えることも起らない。
【００１５】
さらに、請求項１に記載された本発明の他の構成要件において、欠陥モジュールに付設された修理キーを押すことによって修理状態が開始される。修理状態の期間中、欠陥モジュールの作動停止に必要な処置及び制御過程が行われ、モジュール架枠内に新たに挿入されたモジュールの自動認識が可能になる。新しいモジュールの認識後、必要に応じて新しいモジュールの試験機能が行われ、試験結果が良好ならば新しいモジュールが自動的に作動を開始させられる。
【００１６】
従って、この処置は特に良好な解決策と言える。何故ならば、修理状態の期間中、欠陥モジュールの作動停止のための指令、新しいモジュールの試験機能を実施するための指令、及び新しいモジュールの運転開始のための指令を、操作用端末装置で手動操作にて入力することが必要とされないからである。
【００１７】
これによって本発明による欠陥モジュールの交換方法はデジタル交換局設備のあらゆる種類のモジュールに対して同一である。
【００１８】
さらに、保守要員は欠陥モジュールの交換を、大抵交換局設備からは場所的に離れているメンテナンスセンタ内に待機している別の保守要員の指示に頼らずに行うことができる。
【００１９】
請求項２によれば、修理状態の期間中、モジュール架枠からの欠陥モジュールの引き抜きに基づいて通常生ぜしめられる警報及び故障メッセージが、この状態では不必要である反応が惹き起されないようにするために差し止められる。安全性の理由から、修理状態は決められた期間に制限される。
【００２０】
請求項３によれば、特にデジタル交換局設備内の欠陥モジュールの作動停止方法が提供される。欠陥モジュールの作動停止に必要な処置及び制御過程が取られて、修理状態の期間中には新しい接続が構成されず、現存の接続がその全寿命中維持されるか又は決められた期間に制限される。
【００２１】
請求項４乃至６に記載された装置を用いて、本発明による方法が実施される。
【００２２】
少なくとも１つの光学的表示素子（例えば発光ダイオード）がモジュールに、モジュールの種々の状態を表示するために見えるように設けられる。しかも修理キーがモジュールに設けられる。これはモジュール毎に設けられるか又はそれぞれ複数のモジュールに所属する。さらに修理キーはモジュールの代わりに、１つ又は複数のモジュールを含むモジュール架枠に設けることもできる。この場合、修理キーはそれぞれ複数のモジュールに所属する。
【００２３】
以下において本発明の一実施例を図面を参照して詳細に説明する。
【００２４】
図１は保守要員によって操作可能な操作用端末装置とデジタル交換局設備内の３つの並んで配置されたラックのラック列とを示す。
図２はラック内にある図１に示されていないモジュール架枠の内部にあるモジュールの一実施例を示す。
【００２５】
図１には、メンテナンスセンタ（保守センタ）内で丁度操作用端末装置ＢＴを操作している保守要員ＷＰが示されている。保守要員ＷＰの他に、３つの並んで配置されたラックＧＲのラック列、すなわちメンテナンスセンタからは通常場所的に離れているデジタル交換局設備の一部が示されている。デジタル交換局設備がメンテナンスセンタから場所的に離れていることは破線によって示されている。中央にあるラックの内部には４つの上下に配置されたモジュール架枠ＢＲが設けられており、このモジュール架枠ＢＲは多数のモジュールＢＧを含んでいる。
【００２６】
図２はモジュールＢＧを再度示し、その正面板にはモジュール毎に設けられている修理キーＲＴと、赤色発光ダイオードＲＬと、緑色発光ダイオードＧＬとが設けられている。
【００２７】
モジュール架枠内のモジュールが故障を有するか又は完全に脱落した場合、メンテナンスセンタ内の操作用端末装置ＢＴの画面上にメッセージが表示される。操作用端末装置の画面上のメッセージ内容は、例えば、特定のラック列におけるラック内部のモジュール架枠内の欠陥モジュールの、モジュール種類、故障原因、故障状態又は警報状態、並びにアドレスである。
【００２８】
操作用端末装置の画面におけるメッセージの他に、モジュールの正面板に設けられた例えば２個の発光ダイオードによって現場で保守要員にモジュールの状態が表示される。モジュールが良好な状態にある場合、赤色発光ダイオードは消灯し、緑色発光ダイオードが点灯する。モジュールが不良状態であるがまだ作動している場合、赤色発光ダイオードと緑色発光ダイオードとが点灯する。モジュールの完全脱落の場合には赤色発光ダイオードのみが発光する。電源の脱落の場合には両方の発光ダイオードが消灯する。
【００２９】
欠陥モジュールが見つけ出された後、保守要員が特にモジュールの正面板に設けられている修理キーを押すと、例えば１５分間の修理状態が開始される。この修理状態の期間中、通常は欠陥モジュールをモジュール架枠から引き抜くことによって生ぜしめられる警報及び故障メッセージが差し止められ、そのメッセージによって不必要に惹き起される反応を回避することができる。
【００３０】
モジュールの完全脱落の場合、保守要員は脱落したモジュールをその差込み場所から引き抜き、これを新しいモジュールによって取り換える。
【００３１】
モジュールが不良であるがまだ作動している他の場合に対しては、このモジュールへの新しい接続が許可されず、現存の接続は例えば遅くとも２分後には中断される。まだ接続が構成されている場合には、赤色発光ダイオードが発光し、緑色発光ダイオードが点滅する。モジュールに対して接続がもはや構成されていない場合すなわちモジュールが作動を停止した場合、赤色発光ダイオードが発光し、緑色発光ダイオードは消灯する。発光ダイオードによって表示されたこの状態において、欠陥モジュールは新しいモジュールによって取り換えることができる。
【００３２】
冗長モジュールの対において一方のモジュールが不良であり、他方のモジュールが脱落した場合すなわち両モジュールが交換されなければならない場合に対しては、先ず、脱落したモジュールに対して修理状態が開始され、このモジュールが新しいモジュールによって取り換えられる。次に、修理状態が新たに開始されて、不良モジュールが交換される。
【００３３】
新しいモジュールがこのモジュール用に決められた差込み場所に挿入された後、自動的に試験機能が実施され、新しいモジュールは試験結果が良好であるならば作動を開始させられる。この試験機能及び作動開始の期間中、赤色発光ダイオードが発光し、緑色発光ダイオードが点滅している。新しいモジュールが成功裡に作動を開始することができた場合、赤色発光ダイオードは消灯し、緑色発光ダイオードは点灯する。このようにして欠陥モジュールの交換が成功裡に行われる。
【００３４】
新しいモジュールの試験結果が好ましくないか又はモジュールが成功裡に作動を開始しない場合、新しいモジュールは作動停止状態を続ける。モジュールのこの状態は、赤色発光ダイオードが発光し、緑色発光ダイオードが消灯していることによって表示される。その結果、モジュール交換の第２回目の試みが行われなければならない。
【００３５】
欠陥モジュールを交換する第２回目の試みは、修理キーの押圧後に修理状態の期間内でモジュールを取り換えることができない場合にも必要である。例えば１５分の期間が経過した後、修理状態は、モジュールをその状態に関係なく再び作動開始させる試みによって終了する。
【図面の簡単な説明】
【図１】  保守要員によって操作可能な操作用端末装置とデジタル交換局設備内の３つの並んで配置されたラックのラック列とを示す概略図
【図２】  ラック内にある図１に示されていないモジュール架枠の内部にあるモジュールの一実施例を示す斜視図
【符号の説明】
ＷＰ        保守要員
ＢＴ        操作用端末装置
ＧＲ        ラック
ＢＲ        モジュール架枠
ＢＧ        モジュール
ＲＴ        修理キー
ＲＬ        赤色発光ダイオード
ＧＬ        緑色発光ダイオード
【図１】
0004287591.tif 000002
【図２】
0004287591.tif 000003